(57)【特許請求の範囲】
【請求項１】
壁面に面状テープの凹面を、手摺支持体の壁面との接触面には面状テープの凸面をそれぞれ貼着し、前記面状テープ凹面に前記手摺支持体面状テープ凸面を貼設してなることを特徴とする着脱自在手摺取付け構造。
【請求項２】
内装壁面仕上げの一部あるいは全面を面状テープの凹面により行うことを特徴とする請求項１記載の着脱自在手摺取付け構造。
【請求項３】
壁面に面状テープの凹面を、手摺支持体の壁面との接触面には面状テープの凸面をそれぞれ貼着し、前記面状テープ凹面に前記手摺支持体面状テープ凸面を貼設してなることを特徴とする着脱自在手摺取付け方法。
【発明の詳細な説明】
【０００１】
【発明の属する技術分野】
本発明は、主として壁に手摺を取り付ける際の、取付け構造に関するものである。
【０００２】
【従来の技術】
従来、手摺の壁等への取付け構造は、壁材とは別途の材料を用いて壁裏を補強し、ビスと両面テープの組合せにより、あるいはビスと接着剤を用いて手摺を支持する手摺支持体を壁へ固定していた。
【０００３】
【発明が解決しょうとする課題】
しかしながら、上記のような取付け構造によれば、後付けで手摺を取り付けようとする場合には、取付け位置の壁自体が荷重に耐え得る構造でなければ、壁裏への補強工事が必要となり大変大掛かりなものとなる、といった問題があった。また、一旦取り付けた後に手摺を取り外そうとした場合には、手摺を固定していたビス穴や、クロスの修復が必要となり経済的負担が大きい、という問題があった。
さらに手摺の位置変更に際しては、新たな補強と、元のビス穴やクロスの修復といった両方の問題があり、これらの問題を解決しうる手摺の取付け構造の開発が待たれていた。
【０００４】
そこで本発明は、内装施工の前後に関わらず、壁裏への補強工事等を必要とせず、また、手摺りの再設置時に修復が必要となるビスや両面テープ、接着剤を必要とせず、必要なときに、必要な場所へ、自在に取付け及び取り外しが可能な手摺りの取付け構造及びその方法を提供するものである。
【０００５】
【課題を解決するための手段】
上記の課題を解決するために、請求項１記載の着脱自在手摺取付け構造は、壁面に面状テープの凹面を、手摺支持体の壁面との接触面には面状テープの凸面をそれぞれ貼着し、前記面状テープ凹面に前記手摺支持体面状テープ凸面を貼設してなることを要旨とする。
【０００６】
請求項２記載の着脱自在手摺取付け構造は、請求項１記載の構成において、内装壁面仕上げの一部あるいは全面を面状テープの凹面により行うことを要旨とする。
【０００８】
請求項３記載の着脱自在手摺取付け方法は、壁面に面状テープの凹面を、手摺支持体の壁面との接触面には面状テープの凸面をそれぞれ貼着し、前記面状テープ凹面に前記手摺支持体面状テープ凸面を貼設してなることを要旨とする。
【０００９】
【発明の実施の形態】
【００１０】
請求項に記載した面状テープの凸面とは、Ｊ字形の個々細かなフック状体を有する面をいい、面状テープ凹面とは、当該凸面のＪ字形の個々細かなフック状体により引っ掛けられる側の面をいう。
本発明は、後述の実施例において、当該面状テープ凹面は部屋等の壁に貼着されるが、部屋の壁には限られず、玄関、階段、廊下、さらにはトイレや風呂場等へも必要に応じて貼着され、手摺を設置することができる。そして、当該発明を応用し、絵画などの装飾物の壁への設置にも利用可能である。
また、壁に限らず、例えば、床の一部、又は全面に面状テープ凹面を貼り付け、机や家具などフロア設置物の設置位置の維持確保に、さらには、実施例にて後述するように、天井に当該面状テープ凹面を貼着し、簡単な照明器具を取り付ける場合にも利用できる。
なお、当該面状テープ凹面の壁等への貼着は、エポキシ系接着剤、ウレタン系接着剤等が適当であるが、強固な接着状態を保つものであれば、これらに限らない。
【００１１】
また、手摺支持体と壁との接着面積は、大きければ大きいほど安定することから、手摺支持体の壁との接着部分の形状は、後述する実施例に挙げる形状に限らず、ある程度の荷重に耐え得るものであれば、その他の形状でもよい。
【００１２】
［実施例１］
本発明の第一の実施例を、図１〜図３に基づいて説明する。本実施例は、本発明により、面状テープの凹面を壁に、そして手摺支持体壁との接触面に面状テープ凸面を貼着し、手摺を壁に設置する場合に関するものである。
【００１３】
図１は本発明の第一の実施例を示す正面図、図２は本発明の第一の実施例を示す側面図、図３は図２に示す甲部の拡大図を表わす。
【００１４】
図中、(1)は手摺、(2)は手摺支持体、(2a)(2b)は手摺支持体(2)の壁との接着部分、(3)は両面テープ凹面、(4)は壁、(5)は両面テープ凸面を示す。
【００１５】
壁(4)に手摺がなかった場所へ新たに手摺(1)を設置する場合、以下の通り、手摺(1)を支える手摺支持体(2)を壁(4)に設置することができる。
【００１６】
まず、壁(4)の所望の位置に面状テープ凹面(3)を貼着する。壁全面であっても良いし、必要な部分にのみ貼着しても良い。本実施例においては、面状テープ凹面(3)と壁との接着はウレタン系接着剤による。
【００１７】
次に、手摺支持体(2)の、壁との接着部(2a)(2b)の壁との接着面に面状テープ凸面(5)をエポキシ系接着剤により貼着する。そして、手摺支持体(2)を壁に貼着した面状テープ凹面(3)へ、任意の高さに取付け、その後手摺(1)を載置してなる。
【００１８】
手摺支持体(2)は、壁(4)に対し、２箇所で支持していることから、相当荷重に耐え得ることが可能である。なお、本実施例のように壁との接着部分を２つに分けずとも、相応の接触面積を有する形状であれば、これに限られず、また、３箇所以上で支持する形状としても良い。
【００１９】
本実施例によれば、手摺取付け時に大掛かりな工事、つまり、壁裏等からの補強工事は必要ない。また、手摺の設置位置、例えば、高さ変更等も、手摺支持体(2)を剥がして所望の場所、位置へ貼るだけで可能であることから、至極容易である。また、凹面を壁側に利用しているので、被服等を引っ掛けることもない。
【００２０】
［実施例２］
本発明の第二の実施例を、図４に基づいて説明する。本実施例は、本発明により、面状テープの凹面を壁に貼着し、絵画等を設置する場合に関するものである。
【００２１】
図４は本発明の第二の実施例を示す図である。図中、(3)は面状テープ凹面、(6)は絵画、(7)は照明器具、(7a)、(7b)は照明器具(7)の壁、天井との接着部分を示す。
【００２２】
絵画(6)の裏面には、あらかじめ面状テープ凸面が貼着されており、壁の面状テープ凹面(3)の所望の位置へ容易に貼設可能であり、設置位置の変更も容易に行える。絵画(6)の裏面への面状テープ凸面の貼着は、一部分でも良いし、また、裏一面に貼着するとすれば、面状テープの凹凸面同士の接着面積が広くなり相当荷重にも耐え得ることが可能である。この点、釘やひも等を使った一箇所で支持する従来の方法と比較すると、より安定的である。
また、図中、照明器具本体と構成を一にする支持部(7a)(7b)を有する軽量の照明器具(7)は天井と壁との２面で支持されており、支持部(7a)(7b)の壁、天井と接する裏面には一面に面状テープ凸面が貼着されている。このような構成から貼設状態を充分維持することができる。
【００２３】
本実施例によれば、鏡や時計等といった壁に取り付けるものであれば、絵画同様、所望の位置に容易に取り付けることが可能となる。
また、絵画等の展覧会においも、絵画の展示位置を容易に変更することが可能となり、また、照明設備を設けていない特設ブース等の場所であっても、容易に設置可能となり、好ましい。
【００２４】
【発明の効果】
以上、本発明によれば、施工時には必要がなかった手摺も、例えば同居人の高齢化に伴い、手摺を後付けで設置したい場合であっても、壁裏面からの補強等、大掛かりな工事を必要とせずに、容易に手摺を設置することができ、また、一度本発明による手摺を設置しておけば、その後、手摺の位置変更も容易で、さらに、不要になったときに取り外しが簡単で、面状テープ自体が壁の上げとなっているので、ビス孔やクロスの修復といった後の処理が不要である。
【００２５】
また、絵画、鏡、時計、その他装飾品等を壁に設置する際にも、容易にその設置や取り外し、そして位置変更が可能となる。
【図面の簡単な説明】
【図１】      本発明の第一の実施例を示す正面図
【図２】      本発明の第一の実施例を示す側面図
【図３】      図２に示す甲部の拡大図
【図４】    本発明の第二の実施例を示す図
【符号の説明】
１          手摺
２          手摺支持体
２ａ、２ｂ  手摺支持体(2)の壁との接着部分
３          面状テープ凹面
４          壁
５          面状テープ凸面
６          絵画
７          照明器具
７ａ、７ｂ  照明器具(7)の壁、天井との接着部分
【図１】
0003930726.tif 000002
【図２】
0003930726.tif 000003
【図３】
0003930726.tif 000004
【図４】
0003930726.tif 000005